(57)【要約】  本発明の一実施形態に係るカップ部を有する衣類１は、バストを覆うための一対のカップ部２１を有するとともに、背部を周回して一対のカップ部２１を支持すべきバック部が実質的に設けられていないブラジャー部２０と、ブラジャー部２０が内臓された本体部１０とを備える。ブラジャー部２０は、本体部１０の左右の脇側部分に結合され、その他の部分は本体部１０に対して遊離するように設けられている。本体部１０は、少なくとも、一対のカップ部２１の周辺領域のうち、ブラジャー部２０の下側及び脇側の領域を覆い、且つ、胴回りに周回する緊締部１１を有している。
2012176283.tif 000002
【特許請求の範囲】
【請求項１】
バストを覆うための一対のカップ部を有するとともに、背部を周回して前記一対のカップ部を支持すべきバック部が実質的に設けられていないブラジャー部と、前記ブラジャー部が内臓された本体部と、を備えた衣類であって、
前記ブラジャー部は、前記本体部の左右の脇側部分に結合され、その他の部分は前記本体部に対して遊離するように設けられており、
前記本体部は、少なくとも、前記一対のカップ部の周辺領域のうち、前記ブラジャー部の下側及び脇側の領域を覆い、且つ、胴回りに周回する緊締部を有している、
カップ部を有する衣類。
【請求項２】
前記緊締部の上部は、前記一対のカップ部の下辺部に重なるように設けられている、請求項１に記載のカップ部を有する衣類。
【請求項３】
前記緊締部の上部は、前記一対のカップ部の脇辺下部に重なるように設けられている、請求項１又は２に記載のカップ部を有する衣類。
【請求項４】
前記緊締部の上部は、前記一対のカップ部の下辺部及び脇辺下部に重なるように設けられており、
前記緊締部と前記一対のカップ部の脇辺下部との重なり幅は、前記緊締部と前記一対のカップ部の下辺部との重なり幅よりも大きい、請求項１に記載のカップ部を有する衣類。
【請求項５】
前記本体部には、前記ブラジャー部の上辺よりも高い位置に首裾部が形成されており、前記首裾部と前記ブラジャー部との間には当て布が設けられている、請求項１〜４の何れか１項に記載のカップ部を有する衣類。
【請求項６】
前記本体部には、着用状態において、前記ブラジャー部の上辺近傍を含む領域部分を肌側に押圧する押圧部が設けられている、請求項１〜４のいずれか１項に記載のカップ部を有する衣類。
【請求項７】
前記ブラジャー部の前中心部及びバージス最下部周辺の少なくとも一方は、前記本体部に結合されている、請求項１〜６の何れか１項に記載のカップ部を有する衣類。
【請求項８】
前記緊締部の緊締力は、上方向又は下方向に向かって次第に弱くなる、請求項１〜７の何れか１項に記載のカップ部を有する衣類。
【発明の詳細な説明】
【技術分野】
【０００１】
本発明は、バストを覆うためのカップを有する衣類に関するものである。
【背景技術】
【０００２】
従来、バストを覆うためのカップ部を有する衣類として、ブラジャーが広く知られている。また、特許文献１及び２には、カップ部を有する衣類として、少なくとも上半身の体型補整を行う下着（ファンデーション）が開示されている。この体型補正下着では、下着本体部にカップ部を一体的に形成している。また、特許文献３には、カップ部を有する衣類として、体型補整機能を備えない下着が開示されている。この下着では、キャミソール等の通常の下着にカップ部を内臓している。また、カップ部を内臓する下着として、通常の下着にいわゆるブラジャー構成を内臓するものも知られている。この種のカップ部を内臓する下着の一例を図２８（前側）及び図２９（背側）に示す。【０００３】
図２８及び図２９に示す下着１Ｘは、いわゆるタンクトップ形状の下着本体部１０Ｘと、本体部１０Ｘの内側に縫着されたブラジャー部２０Ｘとを備える。ブラジャー部２０Ｘは、一対のカップ部２１Ｘと、一対のカップ部２１Ｘの下辺部２１ｂ及び脇辺下部２１ｃに縫着されて一対のカップ部２１Ｘを支持する土台部３１Ｘと、土台部３１Ｘの脇辺下部３１ｂに縫着されて背部を周回し、一対のカップ部２１Ｘ及び土台部３１Ｘを支持するバック部３２Ｘとを有する。このブラジャー部２０Ｘでは、カップ部２１Ｘの脇辺上部２１ａ及び土台部３１Ｘの脇辺上部３１ａが脇布２３Ｘを介して本体部１０の脇部前側に縫着され（縫着記号Ｓ１１で示す。）、バック部３２Ｘの上辺部３２ａ及び脇辺部３２ｂがそれぞれ本体部１０Ｘの襟元、脇部背側に縫着され（それぞれ、縫着記号Ｓ１２、Ｓ１３で示す。）、その他の部分が本体部１０と遊離している。
【先行技術文献】
【特許文献】
【０００４】
【特許文献１】特開平１１−１５８７０４号公報
【特許文献２】実公平０２−０３２６４１号公報
【特許文献３】特開２００８−０９５２４７号公報
【発明の概要】
【発明が解決しようとする課題】
【０００５】
ところで、一般に、ブラジャーは、カップ部の下辺部及び脇辺下部に縫着されてカップ部を支持する土台部と、土台部に縫着されて背部を周回し、カップ部及び土台部を支持するバック部とを備えており、これらの土台部及びバック部によって、カップ部がバストの自重をしっかり受け止められるようになっている。このように、ブラジャーでは、土台部とバック部との強い支持力により、バストの造形性を高めている。【０００６】
しかしながら、図２８及び図２９に示すような下着１Ｘは、楽な着用感を実現するものであり、ブラジャーと比較して土台部３１Ｘ及びバック部３２Ｘの締め付け力が弱い。その結果、下着１Ｘでは、バストの造形性が弱い（造形性の問題点）。【０００７】
また、下着１Ｘでは、着用者が体を捻ったり、伸縮したりする動作を行う際に、ブラジャー部２０Ｘと本体部１０Ｘとが互いに引っ張り合ってしまい、着心地が悪かったり、カップ部２１Ｘがバストから外れやすいという問題があった（運動追従性の問題点）。【０００８】
造形性の問題点に関しては、下着１Ｘでも、土台部３１Ｘ及びバック部３２Ｘの締め付け力を高めることによって改善可能と考えられる。しかしながら、この構成では、以前としてブラジャー部と本体部とが互いに引っ張り合う構成であり、運動追従性の問題点については改善されていない。更には、土台部３１Ｘ及びバック部３２Ｘの締め付け力を高めると、着用者の動作によってずれたブラジャー部２０Ｘが戻り難いという問題が大きくなる。すなわち、バストの造形性を高めると、運動追従性の問題がより大きくなってしまう。【０００９】
そこで、本発明は、バストの造形性を高めることと、バストに対するカップ部の運動追従性を高めることとの両立を可能とするカップ部を有する衣類を提供することを目的としている。
【課題を解決するための手段】
【００１０】
本発明のカップ部を有する衣類は、バストを覆うための一対のカップ部を有するブラジャー部と、ブラジャー部が内臓された本体部とを備える。ブラジャー部は、背部を周回して一対のカップ部を支持すべきバック部が実質的に設けられていない。ブラジャー部は、本体部の左右の脇側部分に結合され、その他の部分は本体部に対して遊離するように設けられている。本体部は、胴回りに周回する緊締部を有している。緊締部は、一対のカップ部の周辺領域のうち、少なくとも、ブラジャー部の下側及び脇側の領域を覆っている。【００１１】
ここで、「実質的に設けられていない」とは、いわゆるブラジャーにおけるバック部として機能するものを有さないことを意味するものであり、バック部としての機能を有さないものを設けていないことまで除くものではない。【００１２】
このカップ部を有する衣類によれば、本体部の緊締部が、いわゆるブラジャーにおける土台部及びバック部として機能し、バストの自重がかかるカップ部を支持することができると共に、カップ部をバストに押し付けることができる。したがって、緊締部の緊締力を高めることによって、バストの造形性を高めることが可能となる。【００１３】
また、ブラジャー部は、本体部の左右の脇側部分に結合され、その他の部分は本体部に対して遊離しているので、ブラジャー部と本体部とが互いに引っ張り合うことを抑制することができる。また、バストの上下の揺れに追随してカップ部が容易に変位することができ、カップ部がバストからずれることを抑制することができる。更に、緊締部によって、カップ部がバストからずれないように保持することができる。したがって、バストの造形性を高めても、バストに対するカップ部の運動追従性を高めることが可能となる。【００１４】
このように、このカップ部を有する衣類によれば、バストの造形性を高めることと、バストに対するカップ部の運動追従性を高めることとの両立が可能となる。【００１５】
なお、「結合」の一例は縫着であり、「結合される」とは、ブラジャー部が本体部の左右の脇側部分に直接縫着されることのみならず、中間布等を介して間接的に縫着されることも含むものとする。【００１６】
上記した緊締部は、一対のカップ部の下辺部と重なっていることが好ましい。この構成によれば、バスト下部に対するカップ部の押圧力が増大するので、バストをより上方に引き上げることができ、バストの造形性をより高めることが可能となる。【００１７】
また、上記した緊締部は、一対のカップ部の脇辺下部と重なっていることが好ましい。更に、緊締部と一対のカップ部の脇辺下部との重なり幅は、緊締部と一対のカップ部の下辺部との重なり幅よりも大きいことが好ましい。この構成によれば、バストの脇側部分に対するカップ部の押圧力が増大するので、バストをより前中心側に移動させることができ、バストの造形性をより高めることが可能となる。【００１８】
なお、重なり幅（面積）が大きくなるほど、バストの造形性をより高めることができることとなる。反面、重なり幅が小さくなるほど、又は、重ならないと、バストに対するカップ部の運動追従性をより高めることができることとなる。【００１９】
また、上記した本体部には、ブラジャー部の上辺よりも高い位置に首裾部が形成されており、首裾部とブラジャー部との間には当て布が設けられていることが好ましい。この構成によれば、着用者が前屈みの姿勢になった際に、胸元が外部から見えてしまうことを防止することができる。【００２０】
また、上記した本体部には、着用状態において、ブラジャー部の上辺近傍を含む領域部分を肌側に押圧する押圧部が設けられていることが好ましい。ここで、発明者らの研究によると、着用者が歩行等の運動を行う際、バストにおけるバストトップの下側より上側の方が揺れやすく、バストトップの脇側より前中心側の方が揺れやすい傾向がある。そして、左右のバストのバストトップの上側部分や前中心の上側部分の領域（ブラジャー部の上辺近傍を含む領域）を肌側に押圧することにより、歩行等の運動時のバストの揺れを低減する効果が得られることが判明した。この構成によれば、押圧部によって、左右のバストのバストトップの上側部分や前中心部分の領域を肌側に押圧するので、着用者が運動する際のバストの揺れを低減することが可能となる。【００２１】
また、上記したブラジャー部の前中心部又はバージス最下部は、本体部に結合されていることが好ましい。この構成によれば、本体部に対して遊離しているブラジャー部が、着用時にひっくりかえることを防止することができる。【００２２】
また、上記した緊締部の緊締力は、上方向又は下方向に向かって次第に弱くなることが好ましい。この構成によれば、緊締力の差異による段差を抑制することができる（スムージング効果）。また、緊締部を腹部まで延ばして、バストの造形のための緊締力より弱い適度な緊締力によって、腹部の体型補整をも容易に実現することが可能となる。
【発明の効果】
【００２３】
本発明によれば、カップ部を有する衣類において、バストの造形性を高めることと、バストに対するカップ部の運動追従性を高めることとの両立が可能である。
【図面の簡単な説明】
【００２４】
【図１】図１は本発明の第１の実施形態に係る下着を前側から示す斜視図である。
【図２】図２は本発明の第１の実施形態に係る下着を背側から示す斜視図である。
【図３】図３は図１に示す下着におけるブラジャー部近傍を裏側から示す拡大図である。
【図４】図４は図３におけるＩＶ−ＩＶ線に沿う断面図である。
【図５】図５は本発明の第２の実施形態に係る下着を前側から示す斜視図である。
【図６】図６は本発明の第３の実施形態に係る下着を前側から示す斜視図である。
【図７】図７は本発明の第３の実施形態に係る下着を背側から示す斜視図である。
【図８】図８は本発明の第４の実施形態に係る下着を前側から示す斜視図である。
【図９】図９は本発明の第４の実施形態に係る下着を背側から示す斜視図である。
【図１０】図１０は本発明の第５の実施形態に係る下着を前側から示す斜視図である。
【図１１】図１１は本発明の第５の実施形態に係る下着を背側から示す斜視図である。
【図１２】図１２は本発明の第６の実施形態に係る下着を前側から示す斜視図である。
【図１３】図１３は本発明の第６の実施形態に係る下着を背側から示す斜視図である。
【図１４】図１４は本発明の第７の実施形態に係る下着におけるブラジャー部近傍を裏側から示す拡大図である。
【図１５】図１５は図１４におけるＸＶ−ＸＶ線に沿う断面図である。
【図１６】図１６は本発明の第８の実施形態に係る下着におけるブラジャー部近傍を裏側から示す拡大図である。
【図１７】図１７は図１６におけるＸＶＩＩ−ＸＶＩＩ線に沿う断面図である。
【図１８】図１８は本発明の第９の実施形態に係る下着におけるブラジャー部近傍を裏側から示す拡大図である。
【図１９】図１９は図１８におけるＸＩＸ−ＸＩＸ線に沿う断面図である。
【図２０】図２０は本発明の第１０の実施形態に係る下着を前側から示す斜視図である。
【図２１】図２１は本発明の第１１の実施形態に係る下着を前側から示す斜視図である。
【図２２】図２２は本発明の第１１の実施形態に係る下着を背側から示す斜視図である。
【図２３】図２３は本発明の第１２の実施形態に係る下着を前側から示す斜視図である。
【図２４】図２４は本発明の第１３の実施形態に係る下着を前側から示す斜視図である。
【図２５】図２５は本発明の第１４の実施形態に係る下着を前側から示す斜視図である。
【図２６】図２６は本発明の変形例に係る下着におけるブラジャー部近傍を裏側から示す拡大図である。
【図２７】図２７は本実施形態（ａ）、比較例（ｂ）の着用状態の撮影結果を忠実に示す図である。
【図２８】図２８は本発明の比較例に係る下着を前側から示す斜視図である。
【図２９】図２９は本発明の比較例に係る下着を背側から示す斜視図である。
【発明を実施するための形態】
【００２５】
以下、図面を参照して本発明の好適な実施形態について詳細に説明する。なお、各図面において同一又は相当の部分に対しては同一の符号を附すこととする。
［第１の実施形態］
【００２６】
図１は、本発明の第１の実施形態に係る下着を前側から示す斜視図であり、図２は、本発明の第１の実施形態に係る下着を背側から示す斜視図である。また、図３は、図１に示す下着におけるブラジャー部近傍を裏側から示す拡大図であり、図４は、図３におけるＩＶ−ＩＶ線に沿う断面図である。図１〜４に示す下着１は、本体部１０と、ブラジャー部２０とを備えている。
【００２７】
本体部１０は、いわゆるタンクトップ形状をなしており、緊締部１１を有している。緊締部１１は、バストの下部及び脇部近傍に延在し、更に背部を周回するように延在している。緊締部１１は、本体部１０における他の部分、すなわち、バスト／背上方部分１２、腹腰／背下方部分１３の緊締力よりも強い緊締力を有する。本体部１０には、例えば、ツーウェイラッセル素材を用いることができる。例えば、本体部１０を形成する際に、編み組織（経編みや緯編み等）や編み糸（種類や本数、ループ数等）を変化させることによって緊締部１１を形成可能である。緊締部１１の詳細については後述することとする。
【００２８】
ブラジャー部２０は、本体部１０の裏側に縫着されており、バストを覆うための一対のカップ部２１を有している。一対のカップ部２１それぞれは、厚さが厚く、左右方向に延在する下パッド部２１ｐｌ及び上パッド部２１ｐｕを有している。これらのパッド部２１ｐｌ，２１ｐｕは、例えば、芯材をモールド成型することによって形成することができる。下パッド部２１ｐｌは、バストを押し上げるように作用し、上パッド部２１ｐｕは、下パッド部２１ｐｌによって押し上げられたバストを押圧するように作用する。
【００２９】
ここで、下パッド部２１ｐｌによって押し上げられたバストは、カップ部２１上部を、着用者から見て前方斜め下側に押し下げてしまうので、上パッド部２１ｐｕを有さない場合、シルエット上、バストトップＰが下がってしまう。そこで、下パッド部２１ｐｌによって押し上げられたバストを、上パッド部２１ｐｕによってバスト側へ押圧することにより、シルエット上、バストトップＰが下がることを抑制することができる。
【００３０】
一対のカップ部２１は、前中心において前中心布２２を介して縫着されており、一対のカップ部２１それぞれの脇辺上部２１ａには、脇布２３が縫着されている。これらの前中心布２２及び脇布２３には、伸縮性を有する素材が用いられる。なお、本実施形態では、左右のカップ部２１は前中心布２２を介して連結されているが、前中心布２２を介さずに左右のカップ部２１を直接連結するものとしても良い。
【００３１】
また、一対のカップ部２１の下辺部２１ｂ及び脇辺下部２１ｃの裏側、前中心布２２の下辺部２２ａの裏側、及び、脇布２３の脇辺下部２３ａの裏側には、伸縮性のテープ２４が縫着されている（図４に縫着記号Ｓ１で示す）。
【００３２】
ブラジャー部２０は、脇布２３の脇辺上部２３ｂにおいて本体部１０の左右の脇部前側（脇側部分）に縫着されている（図３に縫着記号Ｓ２で示す。）。例えば、本体部１０の首裾部１０ａ及び袖裾部１０ｂには補強布が縫着されており（図４に縫着記号Ｓ３で示す。）、脇布２３の脇辺上部２３ｂは、この袖裾部１０ｂに縫着されればよい。ブラジャー部２０のその他の部分は本体部１０と遊離している。
【００３３】
このように、ブラジャー部２０では、いわゆるブラジャーが備える土台部、バック部、及び、肩紐部が実質的に設けられておらず、これらの土台部、バック部、及び、肩紐部の機能は、本体部１０に設けられることとなる。ここで、土台部とは、一対のカップ部の下辺部及び脇辺下部に縫着されて、一対のカップ部を支持するためのものである。本実施形態では、ブラジャー部２０は土台部を有していないが、ブラジャー部２０に土台部をさらに設けるものとしても良い。また、バック部とは、土台部の脇辺部に縫着されて背部を周回し、一対のカップ部を支持するためのものである。
【００３４】
また、「実質的に設けられていない」とは、上記の土台部及びバック部として機能するものを有さないことを意味するものであり、上記の土台部及びバック部としての機能を有さないもの（例えば、装飾等を目的とするレース生地）を設けていないことまで除くものではない。
【００３５】
次に、本体部１０における緊締部１１について詳説する。緊締部１１は、一対のカップ部２１の周辺領域のうち、ブラジャー部２０の下側及び脇側の領域Ｒ１を覆い、胴回りに周回している。換言すれば、緊締部１１は、ブラジャー部２０の下辺部２１ｂ，２２ａ、及び、脇辺下部２１ｃ，２３ａに沿って左右方向に延在し、背部を周回するように延在している。すなわち、緊締部１１は、いわゆるブラジャーにおける土台部及びバック部に相当する位置に設けられている。
【００３６】
緊締部１１の前側上辺部（上部）は、ブラジャー部２０の下辺部２１ｂ，２２ａ、及び、脇辺下部２１ｃ，２３ａに対して、幅Ｗ１＝Ｗ２＝１〜３ｃｍ程重なっていることが好ましい。ここで、ブラジャーでは、カップ部の下辺部及び脇辺上部を非伸縮性のテープ（例えば、マスターサイズＣ７０で幅１〜３ｃｍ程）で補強することがあるが、本実施形態では、ブラジャー部２０に緊締部１１を重ねることによって、同様の補強効果が得られる。
【００３７】
また、緊締部１１の緊締力は、本体部１０のバスト／背上方部分１２に対して１．５倍以上であることが好ましく、更に好ましくは２倍程度である。
【００３８】
この第１の実施形態の下着１によれば、本体部１０の緊締部１１が、いわゆるブラジャーにおける土台部及びバック部として機能し、バストの自重がかかるカップ部２１を支持することができると共に、カップ部２１をバストに押し付けることができる。したがって、緊締部１１の緊締力を高めることによって、バストの造形性を高めることが可能となる。
【００３９】
また、第１の実施形態の下着１によれば、ブラジャー部２０におけるカップ部２１の脇辺上部２１ａ（脇辺部）が脇布２３を介して本体部１０の左右の脇側部分に結合されており、その他の部分が本体部１０に対して遊離しているので、ブラジャー部２０と本体部１０とが互いに引っ張り合うことをより抑制することができる。また、バストの上下の揺れに追随してカップ部２１が容易に変位することができ、カップ部２１がバストからずれることを抑制することができる。更に、緊締部１１によって、カップ部２１がバストからずれないように保持することができる。したがって、バストの造形性を高めても、バストに対するカップ部の運動追従性を高めることが可能となる。
【００４０】
このように、第１の実施形態の下着１によれば、バストの造形性を高めることと、バストに対するカップ部の運動追従性を高めることとの両立が可能となる。
【００４１】
また、第１の実施形態の下着１によれば、緊締部１１がカップ部２１の下辺部２１ｂと重なっているので、バスト下部に対するカップ部２１の押圧力が増大する。したがって、バストをより上方に引き上げることができ、バストの造形性をより高めることが可能となる。
【００４２】
また、第１の実施形態の下着１によれば、緊締部１１がカップ部２１の脇辺下部２１ｃと重なっているので、バストの脇側部分に対するカップ部２１の押圧力が増大する。したがって、バストをより前中心側に移動させることができ、バストの造形性をより高めることが可能となる。
【００４３】
なお、重なり幅Ｗ１，Ｗ２が大きいほど（すなわち、重なり面積が大きいほど）、バストの造形性をより高めることができることとなる。一方、重なり幅Ｗ１，Ｗ２が小さいほど（すなわち、重なり面積が小さいほど）、バストに対するカップ部の運動追従性をより高めることができることとなる。
［第２の実施形態］
【００４４】
図５は、本発明の第２の実施形態に係る下着を前側から示す斜視図である。図５に示す下着１Ａは、下着１において本体部１０に代えて本体部１０Ａを備えている構成で第１の実施形態と異なっている。下着１Ａのその他の構成は、下着１と同一である。
【００４５】
本体部１０Ａは、本体部１０において緊締部１１及びバスト／背上方部分１２に代えて緊締部１１Ａ、バスト／背上方部分１２Ａを有している。緊締部１１Ａは、緊締部１１Ａの前側上辺部が、ブラジャー部２０の下辺部２１ｂ，２２ａ、及び、脇辺下部２１ｃ，２３ａに対して重なっていない点で、緊締部１１と異なっている。すなわち、緊締部１１は幅が狭くなり、その分、バスト／背上方部分１２Ａの幅が広くなっている。緊締部１１Ａの素材や緊締力は緊締部１１と同一であり、バスト／背上方部分１２Ａの素材はバスト／背上方部分１２と同一である。
【００４６】
この第２の実施形態の下着１Ａでも、第１の実施形態の下着１と同様に、バストの造形性を高めることと、バストに対するカップ部の運動追従性を高めることとの両立が可能となる。
【００４７】
また、第２の実施形態の下着１Ａでは、緊締部１１Ａがカップ部２１の下辺部２１ｂ及び脇辺下部２１ｃと重なっていないので、バストに対するカップ部の運動追従性をより高めることができる。
［第３の実施形態］
【００４８】
図６は、本発明の第３の実施形態に係る下着を前側から示す斜視図であり、図７は、本発明の第３の実施形態に係る下着を背側から示す斜視図である。図６及び図７に示す下着１Ｂは、下着１において本体部１０に代えて本体部１０Ｂを備えている構成で第１の実施形態と異なっている。下着１Ｂのその他の構成は、下着１と同一である。
【００４９】
本体部１０Ｂは、本体部１０において更に緊締部１４，１５を有しており、バスト／背上方部分１２及び腹腰／背下方部分１３に代えてバスト／背上方部分１２Ｂ、腰／背下方部分１３Ｂを有している。
【００５０】
緊締部１４は、緊締部１１とバスト／背上方部分１２Ｂとの間に配置され、緊締部１１の緊締力よりも小さく、バスト／背上方部分１２Ｂの緊締力よりも大きい緊締力を有する。緊締部１４には、緊締部１１と同様の素材が適用可能であり、緊締部１４も、本体部１０を形成する際に、編み組織や編み糸を変化させることによって形成可能である。この緊締部１４の分だけ、バスト／背上方部分１２Ｂの幅が狭くなっており、バスト／背上方部分１２Ｂの素材はバスト／背上方部分１２と同一である。
【００５１】
また、緊締部１５は、緊締部１１と腰／背下方部分１３Ｂとの間であって腹部を覆う位置に配置され、緊締部１１の緊締力よりも小さく、腰／背下方部分１３Ｂの緊締力よりも大きい緊締力を有する。緊締部１５には、緊締部１１と同様の素材が適用可能であり、緊締部１５も、本体部１０を形成する際に、編み組織や編み糸を変化させることによって形成可能である。この緊締部１５の分だけ、腰／背下方部分１３Ｂの幅が狭くなっており、腰／背下方部分１３Ｂの素材は腹腰／背下方部分１３と同一である。
【００５２】
このように、第３の実施形態の下着１Ｂでは、緊締部１１，１４による緊締力が上方向に向かって次第に弱くなっており、緊締部１１、１５による緊締力が下方向に向かって次第に弱くなっている（グラデーション）。
【００５３】
この第３の実施形態の下着１Ｂでも、第１の実施形態の下着１と同様に、バストの造形性を高めることと、バストに対するカップ部の運動追従性を高めることとの両立が可能となる。
【００５４】
また、第３の実施形態の下着１Ｂによれば、緊締部１１、１４による緊締力が上方向に向かって次第に弱くなっており、緊締部１１、１５による緊締力が下方向に向かって次第に弱くなっているので、緊締力の差異による段差を低減することができる（スムージング効果）。
【００５５】
また、第３の実施形態の下着１Ｂによれば、緊締部１１の緊締力より弱い緊締力を有する緊締部１５が腹部を覆うので、バストの造形のための緊締力より弱い適度な緊締力によって、腹部の体型補整をも容易に実現することが可能となる。
［第４の実施形態］
【００５６】
図８は、本発明の第４の実施形態に係る下着を前側から示す斜視図であり、図９は、本発明の第４の実施形態に係る下着を背側から示す斜視図である。図８及び図９に示す下着１Ｃは、本体部１０Ｃと、ブラジャー部２０Ｃとを備えている。
【００５７】
本体部１０Ｃは、本体部１０において緊締部１１及びバスト／背上方部分１２に代えて緊締部１１Ｃ、バスト／背上方部分１２Ｃを有している。緊締部１１Ｃは、ブラジャー部２０の脇辺下部２１ｃ，２３ａに対して比較的大きく重なっている点で緊締部１１と異なっている。すなわち、ブラジャー部２０Ｃの下辺部２１ｂ，２２ａに対しては幅Ｗ１＝１〜３ｃｍ程重なっているのに対し、ブラジャー部２０Ｃの脇辺下部２１ｃ，２３ａに対しては幅Ｗ２＝２〜６ｃｍ程重なっている（Ｗ１＜Ｗ２）。緊締部１１Ｃの素材や緊締力は緊締部１１と同一である。
【００５８】
一方、バスト／背上方部分１２Ｃでは、胸元及び襟元が大きく開口されており、ブラジャー部２０Ｃの一部を見せる形状となっている。バスト／背上方部分１２Ｃの素材はバスト／背上方部分１２と同一である。
【００５９】
次に、ブラジャー部２０Ｃは、ブラジャー部２０と同様に一対のカップ部２１を有している。一対のカップ部２１は、前中心において前中心布を介さずに直接縫着されており、一対のカップ部２１それぞれの脇辺上部２１ａには、脇布２３が縫着されている。また、一対のカップ部２１の下辺部２１ｂ及び脇辺下部２１ｃの裏側、及び、脇布２３の脇辺下部２３ａの裏側には、伸縮性のテープ２４が縫着されている。ブラジャー部２０Ｃは、脇布２３の脇辺上部２３ｂにおいて本体部１０の脇部前側に縫着されており、ブラジャー部２０のその他の部分は本体部１０と遊離している。
【００６０】
なお、ブラジャー部２０Ｃは、いわゆる見せブラであり、カップ部２１の表側には、レース等により装飾が施されていることが好ましい。
【００６１】
この第４の実施形態の下着１Ｃでも、第１の実施形態の下着１と同様に、バストの造形性を高めることと、バストに対するカップ部の運動追従性を高めることとの両立が可能となる。
【００６２】
また、第４の実施形態の下着１Ｃによれば、カップ部２１の脇辺下部２１ｃの重なり幅Ｗ２が大きいので、バストの脇側部分に対するカップ部２１の押圧力が増大する。したがって、バストをより前中心側に移動させることができ、バストの造形性をより高めることが可能となる。なお、重なり幅が大きくなるほど（すなわち、重なり面積が大きいほど）、バストの造形性をより高めることができることとなる。
［第５の実施形態］
【００６３】
図１０は、本発明の第５の実施形態に係る下着を前側から示す斜視図であり、図１１は、本発明の第５の実施形態に係る下着を背側から示す斜視図である。図１０及び図１１に示す下着１Ｄは、下着１において本体部１０に代えて本体部１０Ｄを備えている構成で第１の実施形態と異なっている。下着１Ｄのその他の構成は、下着１と同一である。
【００６４】
本体部１０Ｄは、いわゆるブラジャー形状をなしており、緊締部１１Ｄとバスト／背上方部分１２Ｄとを有している。緊締部１１Ｄは、緊締部１１と同様に、一対のカップ部２１の周辺領域のうち、ブラジャー部２０の下側及び脇側の領域Ｒ１を覆い、胴回りに周回している。換言すれば、緊締部１１Ｄは、ブラジャー部２０の下辺部２１ｂ，２２ａ、及び、脇辺下部２１ｃ，２３ａに沿って左右方向に延在し、背部を周回するように延在している。また、緊締部１１Ｄは、ブラジャー部２０の下辺部２１ｂ，２２ａ、及び、脇辺下部２１ｃ，２３ａに対して、幅Ｗ１＝Ｗ２＝１〜３ｃｍ程重なっている。緊締部１１Ｄの素材及び緊締力は緊締部１１と同一であり、バスト／背上方部分１２Ｄの素材はバスト／背上方部分１２と同一である。
【００６５】
この第５の実施形態の下着１Ｄでも、第１の実施形態の下着１と同様の利点を有することができる。
［第６の実施形態］
【００６６】
図１２は、本発明の第６の実施形態に係る下着を前側から示す斜視図であり、図１３は、本発明の第６の実施形態に係る下着を背側から示す斜視図である。図１２及び図１３に示す下着１Ｅは、下着１Ｃにおいて本体部１０Ｃに代えて本体部１０Ｅを備えている構成で第４の実施形態と異なっている。下着１Ｅのその他の構成は、下着１Ｃと同一である。
【００６７】
本体部１０Ｅは、いわゆるブラジャー形状をなしており、緊締部１１Ｅとバスト／背上方部分１２Ｅとを有している。緊締部１１Ｅは、緊締部１１Ｃと同様に、緊締部１１が、ブラジャー部２０Ｃの脇辺下部２１ｃ，２３ａに対して比較的大きく重なっている。すなわち、ブラジャー部２０Ｃの下辺部２１ｂ，２２ａに対しては幅Ｗ１＝１〜３ｃｍ程重なっているのに対し、ブラジャー部２０Ｃの脇辺下部２１ｃ，２３ａに対しては幅Ｗ２＝２〜６ｃｍ程重なっている（Ｗ１＜Ｗ２）。緊締部１１Ｄの素材や緊締力は緊締部１１Ｃと同一である。
【００６８】
一方、バスト／背上方部分１２Ｅは、バスト／背上方部分１２Ｃと同様に、胸元及び襟元が大きく開口されており、ブラジャー部２０Ｃの一部を見せる形状になっている。１２Ｅの素材はバスト／背上方部分１２Ｃと同一である。また、本体部１０Ｅの背中心には、ホックやカン等の係合部１６が設けられている。
【００６９】
この第６の実施形態の下着１Ｅでも、第４の実施形態の下着１と同様に、バストの造形性を高めることと、バストに対するカップ部の運動追従性を高めることとの両立が可能となる。
【００７０】
また、第４の実施形態の下着１Ｃによれば、本体部１０Ｅの背中心に係合部１６が設けられているので、着脱が容易である。
［第７の実施形態］
【００７１】
図１４は、本発明の第７の実施形態に係る下着におけるブラジャー部近傍を裏側から示す拡大図であり、図１５は、図１４におけるＸＶ−ＸＶ線に沿う断面図である。図１４及び図１５に示す下着１Ｆは、下着１において更に当て布（押圧部）１７を備えている。下着１Ｆのその他の構成は、下着１と同一である。
【００７２】
当て布１７は、ブラジャー部２０の裏側において、本体部１０の首裾部１０ａとブラジャー部２０との間に配置されている。当て布１７の上辺部１７ａは、ブラジャー部２０の上辺よりも高い位置において、首裾部１０ａに縫着されている（図１５に縫着記号Ｓ３で示す。）。また、当て布１７の下辺部１７ｂは、ブラジャー部２０の下辺部２１ｂ，２２ａ及び脇辺下部２１ｃ，２３ａと伸縮性のテープ２４と共に縫着されている（図１５に縫着記号Ｓ１で示す）。
【００７３】
この第７の実施形態の下着１Ｆでも、第１の実施形態の下着１と同様に、バストの造形性を高めることと、バストに対するカップ部の運動追従性を高めることとの両立が可能となる。
【００７４】
また、第７の実施形態の下着１Ｆでは、当て布１７によって、着用者が前屈みの姿勢になった際に、胸元が外部から見えてしまうことを防止することができる。
【００７５】
ここで、発明者らの研究によると、着用者が歩行等の運動を行う際、バストにおけるバストトップＰの下側より上側の方が揺れやすく、バストトップＰの脇側より前中心側の方が揺れやすい傾向がある。そして、左右のバストのバストトップＰの上側部分や前中心の上側部分の領域（ブラジャー部２０の上辺近傍を含む領域）Ｒ２を肌側に押圧することにより、歩行等の運動時のバストの揺れを低減する効果が得られることが判明した。
【００７６】
第７の実施形態の下着１Ｆによれば、当て布（押圧部）１７によって、左右のバストのバストトップＰの上側部分や前中心部分の領域Ｒ２を包み込むように押圧するので、着用者が運動する際のバストの揺れを低減することが可能となる。
【００７７】
なお、第７の実施形態では、当て布１７をブラジャー部２０の肌側に設ける一例を示したが、当て布の設け方はこれに限定されない。当て布は、胸元が外部から見えてしまうことを防止することができ、左右のバストのバストトップの上側部分や前中心の上側部分の領域を肌側に押圧することができればよく、例えば、以下の第８及び９の実施形態のように設けられてもよい。
［第８の実施形態］
【００７８】
図１６は、本発明の第８の実施形態に係る下着におけるブラジャー部近傍を裏側から示す拡大図であり、図１７は、図１６におけるＸＶＩＩ−ＸＶＩＩ線に沿う断面図である。図１６及び図１７に示す下着１Ｇでは、下着１Ｆにおいて、当て布（押圧部）１７がブラジャー部２０と本体部１０との間に配置されている点で第７の実施形態と異なっている。下着１Ｇのその他の構成は、下着１Ｆと同一である。
【００７９】
この第８の実施形態の下着１Ｇでも、第７の実施形態の下着１Ｆと同様の利点を得ることができる。
［第９の実施形態］
【００８０】
図１８は、本発明の第９の実施形態に係る下着におけるブラジャー部近傍を裏側から示す拡大図であり、図１９は、図１８におけるＸＩＸ−ＸＩＸ線に沿う断面図である。図１８及び図１９に示す下着１Ｈでは、下着１Ｆにおいて当て布１７に代えて当て布（押圧部）１７Ｈを備えている構成で第７の実施形態と異なっている。下着１Ｈのその他の構成は、下着１Ｆと同一である。
【００８１】
当て布１７Ｈは、ブラジャー部２０の上方に配置されている。当て布１７Ｈの上辺部１７ａは、ブラジャー部２０の上辺よりも高い位置において、首裾部１０ａに縫着されている（図１９に縫着記号Ｓ３で示す。）。また、当て布１７Ｈの下辺部１７ｂは、ブラジャー部２０の上辺、すなわち、カップ部２１の上辺及び前中心布２２の上辺に縫着されている（図１９に縫着記号Ｓ７で示す）。
【００８２】
この第９の実施形態の下着１Ｈでも、第７の実施形態の下着１Ｆと同様の利点を得ることができる。
【００８３】
なお、第７〜第９の実施形態では、胸元が外部から見えてしまうことを防止し、左右のバストのバストトップの上側部分や前中心の上側部分の領域を肌側に押圧するために、当て布１７，１７Ｈを設けたが、例えば、以下の第１０及び１１の実施形態のように、当て布１７，１７Ｈに代えて緊締部を用いてもよい。
［第１０の実施形態］
【００８４】
図２０は、本発明の第１０の実施形態に係る下着を前側から示す斜視図である。図２０に示す下着１Ｉは、下着１において本体部１０に代えて本体部１０Ｉを備えている構成において第１の実施形態と異なっている。下着１Ｉのその他の構成は、下着１と同一である。
【００８５】
本体部１０Ｉは、緊締部（押圧部）１８を更に備えている構成で本体部１０と異なっている。緊締部１８は、バストのバストトップＰの上側部分や前中心部分の領域Ｒ２に設けられている。本実施形態では、緊締部１８は、カップ部２１の上辺部を前中心側上辺部２１ｄ、バストトップ上辺部２１ｅ、脇側上辺部２１ｆに分割したうちのバストトップ上辺部２１ｅ及び脇側上辺部２１ｆに重なっている。なお、緊締部１８は、カップ部２１の上辺部のうちの少なくともバストトップ上辺部２１ｅに重なっていればよく、カップ部２１の上辺部すべて、すなわち、前中心側上辺部２１ｄ、バストトップ上辺部２１ｅ及び脇側上辺部２１ｆに重なっていてもよい。緊締部１８には、緊締部１１と同様の素材が適用可能である。
【００８６】
この第１０の実施形態の下着１Ｉでも、第７〜９の実施形態の下着１Ｆ〜１Ｈと同様の利点を得ることができる。すなわち、緊締部１８によって、着用者が前屈みの姿勢になった際に、胸元が外部から見えてしまうことを防止することができる。また、緊締部（押圧部）１８によって、左右のバストのバストトップＰの上側部分や前中心部分の領域Ｒ２を肌側に押圧するので、着用者が運動する際のバストの揺れを低減することが可能となる。
［第１１の実施形態］
【００８７】
図２１は、本発明の第１１の実施形態に係る下着を前側から示す斜視図であり、図２２は、本発明の第１１の実施形態に係る下着を背側から示す斜視図である。図２１及び図２２に示す下着１Ｊは、下着１Ｉにおいて本体部１０Ｉに代えて本体部１０Ｊを備えている構成において第１０の実施形態と異なっている。下着１Ｊのその他の構成は、下着１Ｉと同一である。
【００８８】
本体部１０Ｊは、緊締部１８に代えて緊締部（押圧部）１８Ｊを備えている構成で本体部１０Ｉと異なっている。緊締部１８Ｊは、バストのバストトップＰの上側部分や前中心部分の領域Ｒ２に設けられており、更に、背部を周回するように設けられている。本実施形態でも、緊締部１８Ｊは、カップ部２１の上辺部のうちのバストトップ上辺部２１ｅ及び脇側上辺部２１ｆに重なっている。緊締部１８Ｊには、緊締部１８と同様の素材が適用可能である。
【００８９】
この第１１の実施形態の下着１Ｊでも、第１０の実施形態の下着１Ｉと同様の利点を得ることができる。
［第１２の実施形態］
【００９０】
図２３は、本発明の第１２の実施形態に係る下着を前側から示す斜視図である。図２３に示す下着１Ｋは、下着１Ｄにおいて本体部１０Ｄに代えて本体部１０Ｋを備えている構成で第５の実施形態と異なっている。下着１Ｋのその他の構成は、下着１Ｄと同一である。
【００９１】
本体部１０Ｋは、本体部１０Ｄにおいて緊締部（押圧部）１８Ｋを更に備えている構成で第５の実施形態と異なっている。この緊締部１８Ｋは、下着１Ｉにおける緊締部１８と同様である。すなわち、緊締部１８Ｋは、バストのバストトップＰの上側部分や前中心部分の領域Ｒ２に設けられており、カップ部２１の上辺部のうちのバストトップ上辺部２１ｅ及び脇側上辺部２１ｆに重なっている。
【００９２】
この第１２の実施形態の下着１Ｋでも、第１０〜１１の実施形態の下着１Ｉ〜１Ｊと同様の利点を得ることができる。また、この第１２の実施形態の下着１Ｋは、スポーツブラに好適である。
［第１３の実施形態］
【００９３】
図２４は、本発明の第１３の実施形態に係る下着を前側から示す斜視図である。図２４に示す下着１Ｌは、下着１において、ブラジャー部２０の下辺部２１ｂ，２２ａの一部が本体部１０に固定されている点で第１の実施形態と異なっている。下着１Ｌのその他の構成は、下着１と同一である。
【００９４】
具体的には、ブラジャー部２０の前中心部、すなわち、前中心布２２の一部２２ｂ及びバージス最下部２１ｊが、本体部１０に縫着されている。前中心布２２の一部２２ｂ及びバージス最下部２１ｊは、本体部１０に直接縫着されてもよいし、テープ等の補強部材を当てて縫着されてもよい。テープ等の補強部材は、本体部１０と前中心布２２との間に当ててもよいし、前中心布２２の肌側に当ててもよい。なお、前中心布２２の一部２２ｂ及びバージス最下部２１ｊを本体部１０に縫着する方法としては、図２４に示すように点状に縫着するものとしても良い。また、上記のように、前中心布２２の一部２２ｂを点状に縫着する代わりに、前中心布２２の中央部分を上下方向に縫着するようにしても良い。その他、本体部１０の仕様等に応じて適宜、前中心布２２を本体部１０に縫着すればよい。バージス最下部２１ｊを本体部１０に縫着する代わりに、バージス最下部２１ｊ周辺を上下方向、または、左右方向に縫着するものとしても良い。
【００９５】
なお、本実施形態では、前中心布２２の一部２２ｂ及びバージス最下部２１ｊが、本体部１０に縫着によって連結されている例を挙げているが、本発明はこれに限定されるものではない。例えば、縫着に代えて、接着等の他の接合方法によって本体部１０に前中心布２２の一部２２ｂ及びバージス最下部２１ｊを連結するようにしても良い。
【００９６】
なお、上記第１３の実施形態では、前中心布２２の一部２２ｂ及びバージス最下部２１ｊを本体部１０に連結する例を挙げて説明しているが、本発明は、これに限定されるものではない。例えば、前中心布２２の一部２２ｂ及びバージス最下部２１ｊのいずれか一方を本体部１０に縫着等によって連結するようにしても良い
【００９７】
この第１３の実施形態の下着１Ｌでも、第１の実施形態の下着１と同様の利点を得ることができる。
【００９８】
また、第１３の実施形態の下着１Ｌによれば、本体部１０に対して遊離しているブラジャー部２０が、着用時にひっくりかえることを防止することができる。
［第１４の実施形態］
【００９９】
図２５は、本発明の第１４の実施形態に係る下着を前側から示す斜視図である。図２５に示す下着１Ｍは、下着１Ｅにおいて、ブラジャー部２０Ｃの下辺部２１ｂの一部及び前中心部分２１ｈが本体部１０Ｅに固定されている点で第６の実施形態と異なっている。下着１Ｍのその他の構成は、下着１Ｅと同一である。
【０１００】
具体的には、ブラジャー部２０Ｃのバージス最下部、すなわち、カップ部２１のバージス最下部２１ｇ及び前中心部分２１ｈが、本体部１０Ｅに縫着されている。なお、本実施形態では、左右のカップ部２１は前中心布を介さずに連結されており、本実施形態における前中心部分２１ｈは、左右のカップ部２１が隣り合うように連結されている部分を意味している。カップ部２１のバージス最下部２１ｇ及び前中心部分２１ｈは、本体部１０Ｅに直接縫着されてもよいし、テープ等の補強部材を当てて縫着されてもよい。テープ等の補強部材は、本体部１０Ｅとカップ部２１との間に設けてもよいし、カップ部２１の肌側に設けてもよい。なお、カップ部２１のバージス最下部２１ｇ及び前中心部分２１ｈを本体部１０Ｅに縫着する方法としては、図２５に示すように点状に縫着するものとしても良い。また、バージス最下部２１ｇ及び前中心部分２１ｈを、それぞれ本体部１０Ｅに対して上下方向または左右方向に縫着するものとしても良い。
【０１０１】
本実施形態では、カップ部２１のバージス最下部２１ｇを本体部１０Ｅに縫着しているが、本発明はこれに限定されるものではない。例えば、バージス最下部２１ｇの周辺部分を本体部に縫着するようにしても良い。このように、カップ部２１に対する本体部１０Ｅの縫着位置がバージス最下部２１ｇから多少離れていても良い。
【０１０２】
本実施形態では、前中心部分２１ｈ及びバージス最下部２１ｇを本体部１０Ｅに縫着する例を挙げているが、本発明はこれに限定されるものではない。例えば、カップ部２１等の仕様に応じて、前中心部分２１ｈ及びバージス最下部２１ｇのいずれか一方を本体部１０Ｅに縫着するようにすればよい。
【０１０３】
この第１４の実施形態の下着１Ｍでも、第６の実施形態の下着１Ｅと同様の利点を得ることができ、また、上記した第１３の実施形態の下着１Ｌと同様の利点を得ることができる。
【０１０４】
なお、本発明は上記した本実施形態に限定されることなく種々の変形が可能である。例えば、本実施形態では、本体部を形成する際に、編み組織（経編みや緯編み等）や編み糸（種類や本数、ループ数等）を変化させることによって緊締部を形成する一例を示したが、緊締部の形成方法はこれに限定されない。例えば、本体部における緊締力の異なる部分（例えば、緊締部１１、バスト／背上方部分１２、腹腰／背下方部分１３）を別布で形成し、これらを接ぎ線（カットライン）縫着してもよい。また、緊締部は、本体部に当て布として縫着されてもよく、また、縫着でなく接着剤等で貼り付けられてもよい。また、緊締部は、オパール加工（抜触加工）を施すことによって形成されてもよいし、ポリエステルやウレタン等の樹脂を本体部に塗布することによって形成されてもよい（樹脂加工）。
【０１０５】
また、本実施形態では、本体部にツーウェイラッセル素材が適用されたが、本体部の素材はこれに限定されない。例えば、本体部にはベア天竺等が適用されてもよい。更に、緊締部を当て布とする場合、緊締部には、パワーネット素材、サテンパワーネット素材、トリコネット素材等が適用されてもよい。
【０１０６】
また、本実施形態では、カップ部２１の脇辺上部２１ａ（脇辺部）に縫着した脇布２３を介して本体部１０の脇部前側上方の脇側部分に縫着したが、本発明はこれに限定されるものではない。カップ部は、本体部の左右の脇側部分に連結されていればよい。より具体的には、例えば、図２６（ａ）に示すように、カップ部２１の脇辺下部２１ｃ（脇辺部）に脇布２３を縫着し、この脇布２３を本体部１０の脇部前側下方の脇側部分に縫着してもよい（縫着記号Ｓ４で示す。）。
【０１０７】
また、脇布２３を介さず、図２６（ｂ）に示すように、カップ部２１の脇辺上部２１ａを本体部１０の脇部前側上方の脇側部分に直接縫着してもよいし（縫着記号Ｓ５で示す。）、図２６（ｃ）に示すように、カップ部２１の脇辺下部２１ｃを本体部１０の脇側部分に直接縫着してもよい（縫着記号Ｓ６で示す。）。
【０１０８】
なお、図２６（ａ）〜（ｃ）に示す縫着部分Ｓ４〜Ｓ６のいずれか２つ又は全部を組み合わせてカップ部を本体部１０の脇側部分に取り付けるようにしても良い。
【０１０９】
さらに、上記各実施形態では、縫着記号Ｓ１〜Ｓ７で示す位置でそれぞれ縫着処理を施す例を挙げて説明しているが、本発明はこれに限定されるものでない。例えば、縫着記号Ｓ１〜Ｓ７で示す位置で縫着処理を施す代わり接着処理や溶着処理といった他の連結方法を用いて部材同士を繋ぎ合わせても良い。
【０１１０】
また、本実施形態では、カップ部を有する衣類としてタンクトップ形状の下着を例示したが、本実施形態の特徴は、スリップやキャミソール等のように少なくともバストを覆う様々な下着すべてに適用可能である。また、本実施形態の特徴は、下着（インナー）以外でも、Ｔシャツやワンピース等のように少なくともバストを覆う様々なアウター全てに適用可能である。更には、日常生活衣類以外の特殊用途の衣類であって、水着等のように少なくともバストを覆う様々な衣類にも適用可能である。
【実施例１】
【０１１１】
図６及び図７に示す本発明の第３の実施形態の下着１Ｂを実施例として製作し、実施例と比較例との対比評価を行った。【０１１２】
ここで、本実施例に対して対比を行った比較例は、他社の従来商品であって、図２８及び図２９に示すカップ部を有する下着１Ｘである。【０１１３】
本評価では、本発明の実施例と比較例とをそれぞれ着用し、背伸び動作、捻り動作、及び、飛び跳ね動作を各１０回ずつ行った後の状態を脇側から撮影した。これらの撮影結果を図２７に忠実に示す。図２７（ａ）は、本実施例の下着１の着用状態の撮影結果を示す図であり、図２７（ｂ）は、比較例の着用状態の撮影結果を示す図である。【０１１４】
本評価によれば、以下の事項が確認できた。まず、図２７によれば、比較例ではバストの造形性が低いのに対し、本実施例ではバストの造形性が高いことが確認できた。特に注目すべきは、緊締部１１がバストのアンダーラインに沿い、綺麗なシルエットを形成できる点である。また、図２７によれば、比較例では腹部にもたつきがあるのに対し、本実施例では緊締部１５によって腹部の体型補整も可能であることが確認できた。また、図２７は運動後の状態であることから、本実施例では運動追従性も高いことが確認できた。
【産業上の利用可能性】
【０１１５】
カップ部を有する衣類において、バストの造形性を高めることと、バストに対するカップ部の運動追従性を高めることとの両立を行う用途に適用することができる。
【符号の説明】
【０１１６】
１，１Ａ，１Ｂ，１Ｃ，１Ｄ，１Ｅ，１Ｆ，１Ｇ，１Ｈ，１Ｉ，１Ｊ，１Ｋ，１Ｌ，１Ｍ，１Ｘ…下着（カップ部を有する衣類）
１０，１０Ａ，１０Ｂ，１０Ｃ，１０Ｄ，１０Ｅ，１０Ｉ，１０Ｊ，１０Ｋ，１０Ｘ…本体部
１０ａ…本体部の首裾部
１０ｂ…本体部の袖裾部
１１，１１Ａ，１１Ｃ，１１Ｄ，１１Ｅ，１４，１５…緊締部
１２，１２Ａ，１２Ｂ，１２Ｃ，１２Ｄ，１２Ｅ…バスト／背上方部分
１３…腹腰／背下方部分
１３Ｂ…腰／背下方部分
１６…係合部
１７，１７Ｈ…当て布（押圧部）
１７ａ…当て布の上辺部
１７ｂ…当て布の下辺部
１８，１８Ｊ，１８Ｋ…緊締部（押圧部）
２０，２０Ｃ，２０Ｘ…ブラジャー部
２１，２１Ｘ…カップ部
２１ａ…カップ部の脇辺上部（脇辺部）
２１ｂ…カップ部の下辺部（ブラジャー部の下辺部）
２１ｃ…カップ部の脇辺下部（脇辺部、ブラジャー部の脇辺下部）
２１ｄ…カップ部の前中心側上辺部（ブラジャー部の上辺部）
２１ｅ…カップ部のバストトップ上辺部（ブラジャー部の上辺部）
２１ｆ…カップ部の脇側上辺部（ブラジャー部の上辺部）
２１ｐｌ…カップ部の下パッド部
２１ｐｕ…カップ部の上パッド部
２２…前中心布
２２ａ…前中心布の下辺部（ブラジャー部の下辺部）
２３，２３Ｘ…脇布
２３ａ…脇布の脇辺下部（ブラジャー部の脇辺下部）
２３ｂ…脇布の脇辺上部
２４…伸縮性のテープ
３１Ｘ…土台部
３２Ｘ…バック部
【図１】
2012176283.tif 000003
【図２】
2012176283.tif 000004
【図３】
2012176283.tif 000005
【図４】
2012176283.tif 000006
【図５】
2012176283.tif 000007
【図６】
2012176283.tif 000008
【図７】
2012176283.tif 000009
【図８】
2012176283.tif 000010
【図９】
2012176283.tif 000011
【図１０】
2012176283.tif 000012
【図１１】
2012176283.tif 000013
【図１２】
2012176283.tif 000014
【図１３】
2012176283.tif 000015
【図１４】
2012176283.tif 000016
【図１５】
2012176283.tif 000017
【図１６】
2012176283.tif 000018
【図１７】
2012176283.tif 000019
【図１８】
2012176283.tif 000020
【図１９】
2012176283.tif 000021
【図２０】
2012176283.tif 000022
【図２１】
2012176283.tif 000023
【図２２】
2012176283.tif 000024
【図２３】
2012176283.tif 000025
【図２４】
2012176283.tif 000026
【図２５】
2012176283.tif 000027
【図２６】
2012176283.tif 000028
【図２７】
2012176283.tif 000029
【図２８】
2012176283.tif 000030
【図２９】
2012176283.tif 000031
【国際調査報告】
2012176283.tif 000032
2012176283.tif 000033
2012176283.tif 000034
2012176283.tif 000035